(57)【特許請求の範囲】
【請求項１】
装置本体に対して開閉可能な開閉パネルを支持部材により開状態に支持し、前記開閉パネル部材に具備された表示部を前記開閉パネルの開状態で表示可能で、前記表示部は前記開閉パネルに対して回動可能に取付けられ、前記支持部材は、前記開閉パネルが閉状態になるのを防止する防止部材を具備し、前記開閉パネルを閉じる場合には該防止部材が操作される電子機器のパネル開閉構造において、
前記開閉パネルが開状態において前記表示部の回動動作に連動して移動し、前記防止部材の解除操作を阻止する阻止部材を設けたことを特徴とする電子機器のパネル開閉構造。
【請求項２】
前記阻止部材は、前記開閉パネルに移動可能に取付けられ、前記表示部の回動により移動するリンク部材と、該リンク部材の移動により回動し、回動した際に前記防止部材に対向する対向面を有する回動部材とから成る請求項１記載の電子機器のパネル開閉構造。
【請求項３】
前記阻止部材は、前記防止部材に近接することにより前記防止部材への操作者の解除操作を阻止する請求項１または２記載の電子機器のパネル開閉構造。
【請求項４】
前記阻止部材は、前記防止部材の解除方向への移動を阻止する請求項１または２記載の電子機器のパネル開閉構造。
【請求項５】
前記阻止部材は、前記開閉パネルを閉じる際に前記表示部を回動前の位置に戻す旨の表示を施される請求項２乃至４の何れかに記載の電子機器のパネル開閉構造。
【発明の詳細な説明】
【技術分野】
【０００１】
本発明は、金融機関等で使用される現金自動取引装置などの電子機器におけるパネル開閉構造に関する。
【背景技術】
【０００２】
従来、金融機関や流通機関などに設置される現金自動取引装置には、顧客操作用に表示部が備えられている。即ち、表示部に顧客操作用の案内を表示して顧客に適正な操作を誘導するようになっている。一般的に表示部としては、ＬＣＤ（liquid crystal display）が使用されている。また、現金自動取引装置はジャム紙幣や現金の補充などの保守を行う必要があるが、保守を行う側としては、装置の前面側（顧客操作側）から保守を行う前面タイプと、装置の後面側から保守を行う後面タイプのものがある。
【０００３】
前面タイプの現金自動取引装置においては、取引のための顧客操作と保守のための係員操作とを同じ前面側から行うことになるために、また表示部が高価であることもあって、表示部を顧客操作用と係員操作用とに兼用することが行われている（例えば特許文献１参照）。その場合、表示部をフロントパネルに設けた装置においては、顧客操作時はフロントパネルを閉めて操作をするため、フロントパネルを閉めた状態で表示部を見えるようにする必要があり、係員操作時は装置内への紙幣の装填やジャム紙幣の除去をするためにフロントパネルを開けた状態で表示部を見えるようにする必要がある。そのため表示部を兼用する場合は、フロントパネルを開けた際に表示部を回転させてフロントパネルを開けた状態でも係員から表示部が見えるようにしている。
【０００４】
そしてフロントパネルを閉める場合は、まず表示部を元の位置に戻し、その後フロントパネルを閉めるようにしている。表示部を戻さないままフロントパネルを閉めると、表示部が装置の内部に衝突して表示部あるいは装置内部の部品を破壊する惧れがある。
【特許文献１】特許第３４３９６２５号公報
【発明の開示】
【発明が解決しようとする課題】
【０００５】
上述のように、前面タイプの現金自動取引装置においては、表示部を係員操作時の位置にしたままフロントパネルを閉めると、表示部と装置内蔵部品が物理的に干渉し、表示部または内蔵部品を傷つけたり破壊したりする惧れがあった。
【０００６】
そこで本発明は、表示部を元の位置に戻さなければフロントパネルを閉めることができないようにして、表示部または内蔵部品の損傷を防止する電子機器のパネル開閉構造を提供することを目的とする。
【課題を解決するための手段】
【０００７】
上記課題を解決するために本発明は、装置本体に対して開閉可能な開閉パネルを支持部材により開状態に支持し、前記開閉パネル部材に具備された表示部を前記開閉パネルの開状態で表示可能で、前記表示部は前記開閉パネルに対して回動可能に取付けられ、前記支持部材は、前記開閉パネルが閉状態になるのを防止する防止部材を具備し、前記開閉パネルを閉じる場合には該防止部材が操作される電子機器のパネル開閉構造において、前記開閉パネルが開状態において前記表示部の回動動作に連動して移動し、前記防止部材の解除操作を阻止する阻止部材を設けたことを特徴とする。
【発明の効果】
【０００８】
本発明によれば、開閉パネルが開状態において、表示部の回動動作に連動して移動し、防止部材の解除操作を阻止する阻止部材を設けたことにより、開閉パネルが開状態においては、表示部を回動して元の位置に戻さないかぎり、防止部材を解除操作できないので、開閉パネルを閉じることができない。したがって表示部又は装置内蔵部品の損傷を防止することができる。
【発明を実施するための最良の形態】
【０００９】
以下、本発明の実施の形態を図面にしたがって説明する。各図面に共通する要素には同一の符号を付す。図１は本発明の実施の形態における現金自動取引装置を示す外観斜視図、図２は顧客操作時における現金自動取引装置を示す側面図、図３は係員操作時における現金自動取引装置を示す側面図である。なお以下に説明する実施の形態では、電子機器として現金自動取引装置を例にとって説明する。
【００１０】
図１において、現金自動取引装置１は、紙幣入出金口２、カード挿入排出口３、硬貨入出金口４、通帳挿入排出口５および顧客操作表示部６を具備している。紙幣入出金口２は、入金紙幣が挿入されるとともに、出金紙幣が排出される部分で、その奥部には紙幣の入出金処理を行う紙幣入出金部が設けられている。カード挿入排出口３は、カードが挿入／排出される部分で、その奥部にはカード処理部が設けられている。
【００１１】
硬貨入出金口４は、入金硬貨が挿入されるとともに、出金硬貨が排出される部分で、その奥部には硬貨の入出金処理を行う硬貨入出金部が設けられている。通帳挿入排出口５は、通帳が挿入／排出される部分で、その奥部には通帳処理部が設けられている。顧客操作表示部（以下、表示部という）６は、顧客に対して操作ガイダンスを表示するとともに、保守時に係員に対して保守情報を表示し、図示しないタッチパネルやファンクションキーを具備し、入力可能となっている。
【００１２】
図に示す現金自動取引装置１は前面タイプで、前面部に具備されるフロントパネル７は上縁部を支点として矢印Ａ方向に回動可能になっている。矢印Ａ方向に回動することにより、フロントパネル７は開き、装置１の内部が前面側から目視可能になる。図２はフロントパネル７が閉じた状態であり、顧客８はこの状態で取引操作を行う。図３はフロントパネル７が開いた状態を示し、係員９はこの状態で保守作業を行う。
【００１３】
図３に示すフロントパネル７の開状態において、表示部６は支点１０を中心に時計回り方向に回転し、実線で示す位置になる。表示部６がこの位置になることにより、係員９は表示部６を目視可能になり、表示部６を見ながら保守作業を行うことができる。またフロントパネル７は後述するガススプリングにより開状態に保持される。
【００１４】
図４はフロントパネルの保持状態を示す側面図である。図４において、フロントパネル７の上端部（開状態においては下端部）にはブラケット１１が形成され、ブラケット１１にはガススプリング１２の上端部１２ａが取付けられている。ガススプリング１２の下端部１２ｂは図示しない装置本体に取付けられている。このガススプリング１２によりフロントパネル７は開状態に保持される。しかしながらガススプリング１２が経年変化や故障等でガス抜けが発生した場合の落下防止策として、安全ストッパを具備している。
【００１５】
図５はガススプリングの安全ストッパを示す。図５（ａ）は安全ストッパが縮んだ状態を示し、図５（ｂ）は安全ストッパが伸びた状態を示す。図５において、安全ストッパ１３は固定部材１４と移動部材１５から成る。固定部材１４は、装置１本体に固定され、断面略コ字形状に形成され、下部に切り欠き部１６が形成されている。固定部材１４は固定部１７において装置１本体にガススプリング１２の下端部１２ｂとともに固定されている。
【００１６】
移動部材１５は、固定部材１４の断面略コ字形状の内部を摺動可能に設けられ、コ字形状から抜け出る位置で回動可能である。また支点１５ａを中心に回動可能になっている。支点１５ａは、ガススプリング１２の上端部１２ａとともにフロントパネル７のブラケット１１に取付けられており、フロントパネル７の開閉動作に伴って揺動する。フロントパネル７の開動作により支点１５ａが図５（ａ）における右上方向に揺動すると、移動部材１５は、図５（ｂ）に示すように、その下端部（左端部）１５ｂが固定部材１４の切り欠き部１６に係合する。これによりガススプリング１２は縮むことができなくなり、安全ストッパ１３としての機能が働くことになる。
【００１７】
図５（ａ）はフロントパネル７が閉じているときの安全ストッパ１３の状態を示し、図５（ｂ）はフロントパネル７が開いているときの安全ストッパ１３の状態を示す。即ち、図５（ａ）はガススプリング１２が縮んでいる状態で、そのときのガススプリング１２の長さＬ１は、図５（ｂ）に示すガススプリング１２が伸びているときの長さＬ２よりも短い（Ｌ１＜Ｌ２）。図５（ｂ）の状態においては、移動部材１５の下端部１５ｂが固定部材１４の切り欠き部１６に係合しているので、ガススプリング１２が経年変化や故障等でガス抜けが発生した場合でも、ガススプリング１２が縮むことができないので、フロントパネル７が落下することはない。
【００１８】
図５（ｂ）に示す状態から安全ストッパ１３を解除する場合は、移動部材１５の先端の把手部１５ｃを上方から押下する。これにより移動部材１５は、支点１５ａを中心に時計回り方向に回動し、下端部１５ｂが固定部材１４の切り欠き部１６から抜け出る。これによりガススプリング１２は縮むことが可能になり、フロントパネル７を閉じることができる。なお安全ストッパ１３は、フロントパネル７の開時において、移動部材１５の把手部１５ｃのみが装置本体から露出し、その他の部分は装置本体内に隠れている。
【００１９】
図６は本実施の形態におけるリンク部材および阻止部材を示す側面図である。図６において、フロントパネル７には阻止部材１８が設けられている。阻止部材１８は、リンク部材１９と回動部材２２とから成っている。リンク部材１９にはガイド穴２０ａ、２０ｂ、２０ｃが形成され、ガイド穴２０ａ、２０ｂにはフロントパネル７に設けられたピン２１ａ、２１ｂが入り込み、ガイド穴２０ｃには阻止部材２２に設けられたピン２２ａが入り込んでいる。リンク部材１９は図示しない付勢部材により通常は矢印Ｂ方向に付勢されており、表示部６が図に実線で示すように下方に回動してくると、表示部６に押されて矢印Ｃ方向に移動する。
【００２０】
回動部材２２は支点２３を中心に回転可能にフロントパネル７に取付けられている。上述のように、回動部材２２に設けられたピン２２ａはリンク部材１９のガイド穴２０ｃに入り込んでおり、リンク部材１９が矢印Ｂ方向の反対方向に移動すると、回動部材２２は支点２３を中心に反時計回り方向に回転し、左端に形成された対向面２２ｂが安全ストッパ１３の移動部材１５に対向する位置に来る。またリンク部材１９が矢印Ｂ方向に移動すると、回動部材２２は支点２３を中心に時計回り方向に回転し、対向面２２ｂは移動部材１５から離れる。
【００２１】
次に本実施の形態の動作を説明する。ここでは係員操作時にフロントパネル７を開く場合の動作を説明する。まず図２に示すフロントパネル７の閉状態から、図３に示すように、係員９がフロントパネル７を上方に持ち上げて開ける。続いて係員９は、図３に示すように、表示部６を顧客操作時の位置から支点６ａを中心に回動させて係員操作時の位置にする。このとき、図６に示すように、リンク部材１９が表示部６に押され、矢印Ｃ方向に移動する。リンク部材１９が矢印Ｃ方向に移動すると、回動部材２２が支点２３を中心に反時計回り方向に回転し、左端に形成された対向面２２ｂが安全ストッパ１３の移動部材１５の把手部１５ｃに対向する位置に来る。
【００２２】
またフロントパネル７が開けられると、ガススプリング１２は、フロントパネル７のブラケット１１の回転動作により、図４に示す矢印Ｄ方向に弧を描いて引っ張られる。これにより安全ストッパ１３の移動部材１５が同様に円弧状に引っ張られ、図５（ｂ）に示すように、移動部材１５の下端部１５ｂが固定部材１４の切り欠き部１６に係合する。これにより、ガススプリング１２が経年変化や故障等でガス抜けが発生した場合でも、フロントパネル７が落下することはなくなる。
【００２３】
フロントパネル７が開けられた状態においては、図６に示すように、回動部材２２の対向面２２ｂが安全ストッパ１３の移動部材１５の把手部１５ｃに対向する位置になる。そのため係員９は、安全ストッパ１３を解除することができない。即ち、移動部材１５の把手部１５ｃを上方から押下することができないので、その下端部１５ｂを切り欠き部１６から抜き出すための操作を行うことができない。図７に回動部材２２の対向面２２ｂと安全ストッパ１３の移動部材１５の把手部１５ｃを示す。図７に示すように、回動部材２２の対向面２２ｂが移動部材１５の把手部１５ｃに近接して対向しているので、回動部材２２を除去させない限り、移動部材１５を、安全ストッパ１３の解除のために回動させることはできない。
【００２４】
係員９が保守作業を終了してフロントパネル７を閉める場合、係員９はまず表示部６を元の閉位置に戻す。これによりリンク部材１９は図示しない付勢手段により矢印Ｂ方向に移動し、これにより回動部材２２は支点２３を中心に時計回り方向に回動し、図８に示すように、移動部材１５の把手部１５ｃから離れ、元の位置に戻る。回動部材２２の回動により移動部材１５の把手部１５ｃを押下可能になる。ここで係員９は移動部材１５の把手部１５ｃを押下することにより、移動部材１５の下端部１５ｂを切り欠き部１６から抜き出し、安全ストッパ１３を解除する。これによりフロントパネル７を閉じることが可能になる。なお図８はフロントパネルの閉動作を示す動作説明図である。
【００２５】
以上のように、本実施の形態では、フロントパネル７を開けて表示部６を回動させると、その回動動作に連動してリンク部材１９が移動し、さらにリンク部材１９の移動で回動部材２２が安全ストッパ１３の移動部材１５の押下を阻止する位置に位置づけられるので、表示部６を元の閉位置に戻さなければ安全ストッパ１３を解除できない状態となり、表示部６を閉位置に戻さないでフロントパネル７を閉めてしまうことによる表示部６または装置内蔵部品の損傷を防止することができる。
【００２６】
図９は本実施の形態の変形例を示す側面図である。図９において、変形例の回動部材３１は上端部にピン３２が設けられ、ピン３２はリンク部材１９のガイド穴２０ｃに入り込んでいる。回動部材３１は図１０に示すように、略コの字形状３３を有し、フロントパネル７の開状態において、回動部材３１の先端部（下端部）３４は安全ストッパ１３の移動部材１５の把手部１５ｃの裏側に入り込んでいる。
【００２７】
この構成により、係員９が移動部材１５の把手部１５ｃを押下しても、移動部材１５は回動部材３１の先端部３４に阻止されて図９における時計回り方向に回動することができず、安全ストッパ１３が解除できない状態を維持し、フロントパネル７が落下することはない。したがって上記実施の形態よりも更に安全に、表示部６を閉位置に戻さないでフロントパネル７を閉めてしまうことによる表示部６または装置内蔵部品の損傷を防止することができる。
【００２８】
図１１は他の変形例を示す側面図である。図１１において、他の変形例の回動部材４１には、係員から目視可能な位置に、シール４２が貼付されている。シール４２には、例えば、「安全ストッパを解除してフロントパネルを閉める前に表示部を閉位置に戻してください。」というような、表示部を戻してからフロントパネル７を閉める旨の注意表示がなされている。その他の構成は上記実施の形態の構成と同様である。
【００２９】
このように安全ストッパを解除する前に表示部６をフロントパネル７の閉位置に戻すよう注意を促す表示があることにより、表示部６を戻さないまま安全ストッパを解除しようとする係員に対して注意を喚起することができ、安全ストッパの無理な解除を予防することができる。
【００３０】
上記実施の形態では、電子機器として現金自動取引装置を例にして説明したが、開閉部を開けてユニットの組み付け位置を変えて操作する形態を有する発券機や自動販売機に対しても本発明は適用可能である。
【図面の簡単な説明】
【００３１】
【図１】本発明の実施の形態における現金自動取引装置を示す外観斜視図である。
【図２】顧客操作時における現金自動取引装置を示す側面図である。
【図３】係員操作時における現金自動取引装置を示す側面図である。
【図４】フロントパネルの保持状態を示す側面図である。
【図５】ガススプリングの安全ストッパを示す図である。
【図６】実施の形態におけるリンク部材および回動部材を示す側面図である。
【図７】回動部材の対向面と安全ストッパの移動部材の把手部を示す図である。
【図８】フロントパネルの閉動作を示す動作説明図である。
【図９】本実施の形態の変形例を示す側面図である。
【図１０】変形例の回動部材と移動部材を示す図である。
【図１１】他の変形例を示す側面図である。
【符号の説明】
【００３２】
１  現金自動取引装置
６  表示部
７  フロントパネル
１２  ガススプリング
１３  安全ストッパ
１５  移動部材
１９  リンク部材
２２、３１、４１  回動部材
３４  先端部
４２  シール
【図１】
0005040546.tif 000002
【図２】
0005040546.tif 000003
【図３】
0005040546.tif 000004
【図４】
0005040546.tif 000005
【図５】
0005040546.tif 000006
【図６】
0005040546.tif 000007
【図７】
0005040546.tif 000008
【図８】
0005040546.tif 000009
【図９】
0005040546.tif 000010
【図１０】
0005040546.tif 000011
【図１１】
0005040546.tif 000012